(57)【特許請求の範囲】
【請求項１】
人体をクレンジングするための払拭体物品において、前記払拭体物品が：
Ａ．水流交絡型繊維から形成され、平方メートル当たり４０から９０グラムの範囲の平均坪量、及び０．３から１．０５ミリメートルの厚さを有する、単層の型押されていない不織布基材であって、前記基材は、基材の基底面の大部分に３次元模様を有し、前記模様は複数の個々に隆起した繊維状領域を含み、前記隆起した繊維状領域は前記基底面の密度と実質的に同じ密度を有し、前記隆起した繊維状領域は繊維状移行領域によって前記基底面に接合されること；及び
Ｂ．水性液体クレンジング組成物であって、
（ａ）０．５％から１２．５％のクレンジング界面活性剤（前記クレンジング界面活性剤は少なくとも１つのアニオン界面活性剤を含む）；
（ｂ）０．５％から５％の親油性皮膚保湿剤；及び
（ｃ）１％から６０％の乾燥剤；
を含み、前記水性液体クレンジング組成物は前記基材の重量で１００％から４００％の程度まで前記基材に塗布又は含浸されること、
を含むことを特徴とする前記払拭体物品。
【請求項２】
前記隆起した繊維状領域が、前記基底面の坪量と実質的に同じ又は前記基底面の坪量より大きい坪量を有することを特徴とする、請求項１に記載の人体をクレンジングするための払拭体物品。
【請求項３】
前記隆起した繊維状領域のうちの幾つかの坪量が、前記基底面の坪量と実質的に同じであること、及び前記隆起した繊維状領域の残りの坪量が前記基底面の坪量より大きいことを特徴とする、請求項１または２に記載の人体をクレンジングするための払拭体物品。
【請求項４】
前記水性クレンジング組成物が；
ａ．０．５％から１２．５％の界面活性剤；及び
ｂ．０．５％から５％の親油性皮膚保湿剤、
を含むことを特徴とする、請求項１ないし３のいずれか１項に記載の人体をクレンジングするための払拭体物品。
【請求項５】
更に、１％から６０％の乾燥剤を含むことを特徴とする、請求項１ないし４のいずれか１項に記載の人体をクレンジングするための払拭体物品。
【請求項６】
前記水性クレンジング組成物が；
ａ．０．５％から１２．５％の界面活性剤；
ｂ．０．１％から１０％の酸；及び
ｃ．０．５％から５％の親油性保湿剤；
を含み、前記水性クレンジング組成物が３から６の範囲のｐＨを有することを特徴とする、請求項１ないし５のいずれか１項に記載の人体をクレンジングするための払拭体物品。
【請求項７】
人体をクレンジングするための払拭体物品において、前記払拭体物品が、
Ａ．水流交絡型繊維から形成される単層不織布基材であって、前記基材は、基材の基底面の大部分に３次元模様を有し、前記模様は複数の個々に隆起した繊維状領域を含み、前記隆起した繊維状領域は繊維状移行領域によって前記基底面に接合されること；及び
Ｂ．ａ．０．５％から１２．５％のクレンジング界面活性剤（前記クレンジング界面活性剤は少なくとも１つのアニオン界面活性剤を含む）；及び
ｂ．０．５％から５％の親油性皮膚保湿剤、
を含む水性液体クレンジング組成物であって、前記水性液体クレンジング組成物は前記基材の重量で１００％から４００％の程度まで前記基材に塗布又は含浸されること；
を含み、
前記３次元模様は繊維が絡まれるように形成されること、を特徴とする前記払拭体物品。
【請求項８】
人体をクレンジングするための払拭体物品の調製方法において、前記方法が、
Ａ．有孔型成形板の背面から著しく離された少なくとも１個の凹部を有する本質的に平坦な背面を含む前記成形板又は模様形成支持体部材に繊維状ウェブを配置すること；
Ｂ．前記繊維が交絡して模様入り基材が形成されるように繊維状ウェブの上面に流体力を負荷すること；
Ｃ．前記流体を前記模様入り基材から移送すること；並びに
Ｄ．ａ．０．５％から１２．５％のクレンジング界面活性剤（前記クレンジング界面活性剤は少なくとも１つのアニオン界面活性剤を含む）；及び
ｂ．０．５％から５％の親油性皮膚保湿剤、
を含む水性クレンジング組成物を用いて前記模様入り基材を、前記基材重量で１００％から４００％の程度まで塗布又は含浸すること、を特徴とする前記方法。
【請求項９】
前記水性液体クレンジング組成物が；
１．  ０．５％から１２．５％のクレンジング界面活性剤（前記クレンジング界面活性剤は少なくとも１つのアニオン界面活性剤を含む）；
２．  ０．１％から３０％の親油性皮膚保湿剤；及び
３．  イソパラフィンを含む１％から６０％の乾燥剤、
を含むことを特徴とする、請求項１ないし３のいずれか１項に記載の人体をクレンジングするための払拭体物品。
【発明の詳細な説明】
【０００１】
（技術分野）
本発明は、抜群の柔らかさ、感触及びクレンジング特性を有するパーソナルクレンジング用払拭体物品に関する。本発明のパーソナルクレンジング用払拭体は、単層で、不織布の水流交絡型基材、及びその基材に塗布又は含浸されきる水性液体クレンジング組成物を含む。
【０００２】
（発明の背景）
消費者は、いろいろな目的に対する用途別の組成物が含浸された吸収性シートを今まで使用して来た。例えば、クレンジング組成物が含浸された払拭体を頻繁に使って、旅行中や人の面前で又は水や石鹸が簡単に入手出来ない時に手や顔を便利にきれいにすることが多い。そのような払拭体は、また、排便後の赤ん坊を拭く時に使用されることが多い。
【０００３】
消費者の中には、パーソナルクレンジング用払拭体、赤ん坊用の払拭体又は人肌に使用するその他の払拭体が、現在市販されている払拭体よりも人肌に更に柔らかさを感じさせることを望む人がいる。本出願人は、水流交絡型繊維から作った特定の不織布の模様入り基材と水性クレンジング組成物とを組み合わせて使うことにより、更に柔らかい払拭体組成物を提供出来ることを今回発見した。
【０００４】
水流交絡型繊維で作られる基材は当業者には公知である。例えば、１９６９年１２月２３日付けで発行され、Ｅｖａｎｓに付与された米国特許第３，４８５，７０６号を参照されたい。模様入りの基材も当業界では周知である。この先行技術は、不織布基材に模様を形成するのに２つの基本的方法を記載していている：即ち、機械的型押及び開孔化である。これらの先行技術の方法によって作られた模様入り基材は消費者の買い控えに遭っている。機械的型押では、ロールの周縁部にある突起部のような堅い部材によってウェブに力を加えて高密度部分の坪量を変えることなく基材に高密度部分を作り出すことが行なわれる。残念ながら、機械的型押法は消費者によって望まれる別の諸特性を犠牲にして模様を提供することがある。特に、型押によって繊維間の結合が引き裂かれることがあり、それによってウェブの引張強度が低下する。更に、基材が湿っていると、模様は元のままでないことがある。開孔化は、一連の穴、又は開孔部の周りに網目の繊維の束を作ることである。この模様は３次元ではない；シート上には個々に隆起した繊維状領域が存在しない。見た目には良いが、このタイプの模様では基材の柔らかさが増すことはない。
【０００５】
水性クレンジング組成物で含浸され、先行技術の組成物と比較して抜群の柔らかさ、感触及びクレンジング特性を有する払拭体物品を提供することが本発明の１つの目的である。
【０００６】
前記の払拭体物品のその他の局面に関して消費者の買い控えに遭うことなく、抜群の柔らかさ、感触及びクレンジング特性を達成することが本発明のもう１つの目的である。
【０００７】
（発明の概要）
本発明は、抜群の柔らかさ、感触及びクレンジング特性を有するパーソナルクレンジング用払拭体物品に関する。本発明の払拭体は、基材、及び前記基材の重量で約１００％から約４００％程度まで基材に塗布又は含浸される水性液体クレンジング組成物を含む。基材は、水流交絡型繊維から形成される単層不織布基材である。基材を含む基底面の実質的大部分に複数の個別の隆起した繊維状領域を含む３次元模様が存在する。隆起した繊維状領域の密度は基底面の密度と実質的に同じである。隆起した繊維状領域は、繊維状移行領域によって基底面と接合される。水性液体クレンジング組成物は有効量のクレンジング界面活性剤を含む。
【０００８】
（発明の詳細な説明）
本発明は、抜群の柔らかさ、感触及びクレンジング特性を有するパーソナルクレンジング用払拭体物品に関する。本発明で使用する、“パーソナルクレンジング用払拭体物品”と言う用語は、表面（例えば、皮膚）を清浄にするために表面を払拭体製品で擦ることを目的としたパーソナルクレンジング組成物が既に含浸されている多孔質又は吸収性物質のシートが含まれる製品を指す。本発明のパーソナルクレンジング用払拭体物質は、特定の基材、及びその基材に塗布又は含浸される液体水性クレンジング組成物を含む。本発明のパーソナルクレンジング用払拭体物品を調製するのに使用される諸成分ばかりでなく、その物品を調製する方法も次の通り詳細に説明する：
【０００９】
Ｉ．成分
Ａ．基材
本発明のパーソナルクレンジング用払拭体組成物は、水流交絡型繊維から形成される単層不織布基材を含む。“不織布”は、基材が織物に織られるのではなく、むしろ好適な坪量、厚さ、吸収性及び強度の諸特性を有するシート、マット、又はパッド層状物に成形される繊維から成ることを意味する。
【００１０】
基材が形成される繊維は、天然、合成又はそれらの混合物が可能である。本明細書の基材を調製するための好適な天然繊維には、例えば木材パルプ、羊毛、絹、ジュート、麻（ｈｅｍｐ）、木綿、リネン、サイザルカラムシ、及びそれらの混合物が挙げられる。本明細書の基材を調製出来る好適な合成繊維には、レーヨン、セルロースエステル、ポリビニル誘導体、ポリオレフィン、ポリアミド、アセテート、アクリル系、モダクリル繊維、ポリエステル、ポリウレタンフォーム、及びそれらの混合物が挙げられる。これらの合成物質の幾つかの具体例には、アクリラン、クレソラン、及びアクリロニロリル系繊維、オーロン；セルロースアセテート、アルネル（ａｒｎｅｌ）及びアセル（ａｃｅｌｅ）のようなセルロースエステル繊維；ナイロン類（例えば、ナイロン６、ナイロン６６、ナイロン６１０等）のようなポリアミド；フォルトレル（ｆｏｒｔｒｅｌ）、コデル（ｋｏｄｅｌ）及びポリエチレンテレフタレート繊維、ダークロン（ｄａｃｒｏｎ）のようなポリエステル；ポリプロピレン、ポリエチレンのようポリオレフィン；ポリビニルアセテート繊維；ポリウレタンフォーム及びそれらの混合物が挙げられる。これら及びその他の好適な繊維、並びにそれらから調製される不織布繊維は、Ｒｉｅｄｅｌの“Ｎｏｎｗｏｖｅｎ Ｂｏｎｄｉｎｇ Ｍｅｔｈｏｄｓ ａｎｄ Ｍａｔｅｒｉａｌｓ”、 Ｎｏｎｗｏｖｅｎ Ｗｏｒｌｄ（１９８７）；Ｔｈｅ Ｅｎｃｙｃｌｏｐｅｄｉａ Ａｍｅｒｉｃａｎａ，１１巻、１４７−１５３頁、及び１９９０年１月２０日付けで発行され、Ｔｈａｍａ等に付与された米国特許第４，８９１，２２７号；及び第４，８９１，２２８号に概ね記載されていて、それらは引用してその全体が本明細書に組み入れられている。
【００１１】
本発明で使用する基材は水流交絡型繊維から形成される。水流交絡型繊維から基材を調製する１つの方法は、成形板の背面から著しく離された少なくとも１個の凹部を有する本質的に平坦な背面を含む模様形成（ｔｏｐｏｇｒａｐｈｉｃａｌ）支持体部材に繊維のウェブを配置することである。一般的に、この模様形成支持体部材は、不織布基材上に所望の模様の個々に隆起した繊維状領域を形成するように或る予め定められた配列の凹部が配置されている多数の凹部を含む。繊維状ウェブは、処理されている間は確実に模様形成支持体部材の上に留まるためにこの模様形成支持体部材上に在る間に水で予備浸漬、即ち水に浸される。繊維状ウェブを乗せている模様形成支持体部材は、一連のオリフィスの下を通過するが、この各オリフィスからは水のような流体が高圧のもとで繊維状ウェブの上面へ噴射される、即ち繊維状ウェブのその表面は模様形成支持体部材とは接触していない。先ず、この流体作用によって、出発原料ウェブは、３次元支持体部材通りに成形され；流体作用が及んでいる間、基底面、及び互いに半永久的に配置される１個以上の個々に隆起した繊維状領域を含む不織布基材となるように繊維は互いに交絡して固定される。次に、好ましくは、水は真空を使ってこの支持体部材から取り除かれる。繊維状ウェブは脱水される。脱水された成形基材は、この支持体部材から取り外される。成形済みの基材を一連の乾燥ドラムに通して基材を乾燥させる。これらの基材は、仕上品とすることが出来るし、或いはそうでなければ所望の加工を行なう。水流交絡型繊維ウェブの調製方法は当業者には公知である。例えば、１９６９年１２月２３日付けで発行され、Ｅｖａｎｓに付与された米国特許第３，４８５，７８６号；Ｋａｌｗａｒｒｅｓに付与された米国特許第２，８６２，２５１号、及びＧｒｉｓｗｏｌｄに付与された米国特許第３，０２５，５８５号を参照されたい。それら全ての特許は水流交絡型方法を概ね記載していて、それらは全て引用してその全体が本明細書に組み入れられている。１９９７年１０月７日付けで発行され、Ｊａｍｅｓに付与された米国特許第５，６７４，５９１号も参照されたい；この特許は、このプロセスで使用される装置を含め具体的水流交絡プロセスを記載していて、この装置を使って本発明で使用する模様入りの基材を調製出来る。米国特許第５，６７４，５９１号は引用してその全体が本明細書に組み入れられている。
【００１２】
本発明の基材は、単層基材が好ましい。“単層”とは、基材が単一、即ち一層単独で模様形成支持体部材層から取り外され、その他の繊維状又は非繊維状構造成分を加える必要がないことを意味する。特に、本発明で使用する不織布基材にスクリムは接合されない。本明細書の単層基材には、いろいろな合成繊維、いろいろな天然繊維、及び／又は合成繊維と天然繊維との組み合わせ物を含め、１種以上の繊維が挙げられる。そのような種々の繊維は基材の厚さによって同じ方法でブレンドすること出来るし、或いはまた、基材の厚さによって層状に配置することが出来る。
【００１３】
後記で説明するように、本発明の特定の不織布水流交絡型基材は、複数の個々に隆起した繊維状領域を含む３次元模様を基底面の大部分に有する基底面を含む。
【００１４】
本発明の１つの実施態様では、隆起した繊維状領域の坪量及び密度の各々は、基底面の坪量及び密度の各々と実質的に同じである。本明細書で使用する“坪量”と言う用語は、繊維状ウェブの単位面積の重量であり、即ちその構成部分を特徴付ける。本明細書の“密度”は、繊維状ウェブの単位体積の重量であり、その構成部分を特徴付ける。慣用の型押模様付け方法によって、いろいろな範囲のいろいろな密度が作れ出される。
【００１５】
本発明の第２の実施態様では、隆起した繊維状領域の坪量は基底面の坪量より大きく、隆起した繊維状領域の密度は基底面の密度に実質的に同じである。本発明の第３の実施態様では、幾つかの隆起した繊維状領域の坪量は基底面の坪量と実質的に同じであり、その他の隆起した繊維状領域の坪量は基底面の坪量より大きい。この実施態様では、その他の実施態様と同じように、全ての隆起した繊維状領域の密度は基底面の密度と実質的に同じである。
【００１６】
本発明の基材の隆起した繊維状領域は、繊維状移行領域によって本発明の基材の基底面に接合される。繊維状移行領域は繊維の少ない領域と繊維の多い領域とを含む。繊維の少ない領域も繊維の多い範囲も含めて繊維状移行領域は、引用してその全体が本明細書に組み入れられている米国特許第５，６７４，５９１号に詳細に記載されている。
【００１７】
本発明で使用される不織布の模様入り基材の平均坪量はＩＮＤＡ標準試験ＩＳＴ １３０．１で測定すると平方メートル当たり約４０から約９０グラム、好ましくは、平方メートル当たり約４０から約７５グラム、更に好ましくは、平方メートル当たり約５０から約６５グラムの範囲である。本発明で使用される基材の厚さは、ＩＮＤＡ標準試験ＩＳＴ １２０．１（９５）で測定すると約０．３から約１．０５ｍｍ、好ましくは約０．５から約１．００ｍｍ、更に好ましくは約０．６から約０．９ｍｍの範囲である。
【００１８】
本発明の基材は開孔型にすることが出来るが、必須と言う訳ではない。
【００１９】
Ｂ．  水性液体クレンジング組成物
１．クレンジング界面活性剤
本発明のパーソナルクレンジング用払拭体物品は、クレンジング効果を発現する有効な量のクレンジング界面活性剤を含む。一般的に、本発明で使用される水性クレンジング組成物は、クレンジング組成物の重量基準で、約０．５％から約１２．５％、好ましくは約０．７５％から約１１％、更に好ましくは約１％から約１０％、そして最も好ましくは約１％から約５％のクレンジング界面活性剤を含む。好ましくは、これらの界面活性剤又は界面活性剤の組み合わせ物は、刺激が少なくなければならない。このことは、これらの界面活性剤は充分なクレンジング効果又は洗浄効果を発現するが、過度に皮膚を乾燥させないことを意味する。
【００２０】
多種多様なクレンジング界面活性剤が本明細書で有用であり、アニオン界面活性剤、非イオン界面活性剤、両性界面活性剤、カチオン界面活性剤及びそれらの混合物から成る群から選ばれる界面活性剤が挙げられる。
【００２１】
ａ．アニオン界面活性剤
本発明の組成物で有用なアニオン界面活性剤の非限定例は、ＭｃＣｕｔｃｈｅｏｎのＤｅｔｅｒｇｅｎｔｓ ａｎｄ Ｅｍｕｌｓｉｆｉｅｒｓ、北アメリカ版（１９８６）、ａｌｌｕｅｒｅｄ Ｐｕｂｌｉｓｈｉｎｇ 社発行；ＭｃＣｕｔｃｈｅｏｎのＦｕｃｔｉｏｎａｌ Ｍａｔｅｒｉａｌｓ、北アメリカ版（１９９２）；及び１９７５年１２月３０日付けで発行され、Ｌａｕｇｈｌｉｎに付与された米国特許第３，９２９，６７８号に開示されていて、それらの全ては引用してその全体が本明細書に組み入れられている。
【００２２】
多種多様なアニオン界面活性剤が本明細書で有用である。アニオン界面活性剤の非限定例には、サルコシナート、スルフェート、イソチオナート、タウレート、ホスフェート、及びそれらの混合物から成る群から選ばれるアニオン界面活性剤が挙げられる。イセチオナートの中ではアルコイルイセチオナートが好ましく、サルフェートの中ではアルキルサルフェート及びアルキルエーテルサルフェートが好ましい。アルコイルイセチオナートは、一般的に式ＲＣＯ−ＯＣＨ２ＣＨ２ＳＯ３Ｍを有し、式中、Ｒは約１０から約３０個の炭素原子のアルキル又はアルケニルであり、Ｍはアンモニウム、ナトリウム、カリウム及びトリエタノールアミンのような水溶性カチオンである。これらのイセチオナートの非限定例には、ココイルイセチオン酸アンモニウム、ココイルイセチオン酸ナトリウム、ラウロイルイセチオン酸ナトリウム、及びそれらの混合物から成る群から選ばれるアルコイルイセチオン酸塩が挙げられる。
【００２３】
アルキル及びアルキルエーテルサルフェートは、一般的に、各式ＲＯＳＯ３Ｍ及びＲＯ（Ｃ２Ｈ４Ｏ）ｘＳＯ３Ｍを有し、式中、Ｒは約１３から約３０個の炭素原子のアルキル又はアルケニルであり、ｘは約１から約１０であり、Ｍはアンモニウム、ナトリウム、カリウム及びトリエタノールアミンのような水溶性カチオンである。アニオン界面活性剤の別の好適な部類は、次の一般式の有機の、硫酸反応生成物の水溶性塩である：
Ｒ１−ＳＯ３−Ｍ
式中、Ｒ１は、約８から約２４、好ましくは約１０から約１６個の炭素原子を有する直鎖又は分岐鎖の飽和脂肪族炭化水素基から成る群から選ばれ；Ｍはカチオンである。なお、その他のアニオン合成界面活性剤には、スクシナマート、約１２ないし約２４個の炭素原子を有するオレフィンスルホナート、及びｂ−アルキルオキシアルカンスルホナートと呼ばれる部類が挙げられる。これらの物質の例は、ラウリル硫酸ナトリウム、ラウリル硫酸アンモニウムである。
【００２４】
その他のアニオン界面活性剤には、サルコシナートが挙げられ、その非限定例には、ラウロイルサルコシン酸ナトリウム、ココイルサルコシン酸ナトリウム、及びラウロイルサルコシン酸アンモニウムが挙げられる。
【００２５】
本発明の組成物に有用なその他のアニオン界面活性剤は、一般的に約８から約２４個の炭素原子、好ましくは約１０から約２０個の炭素原子を有する脂肪酸の石鹸（即ち、アルカリ金属塩、例えばナトリウム又はカリウム塩）である。石鹸を作る際に使用される脂肪酸は、例えば植物又は動物由来のグリセリドのような天然資源から得ることが出来る（例えば、パーム油、ココナツ油、大豆油、ヒマシ油、タロウ、ラード等）。脂肪酸は合成的に調製することも出来る。石鹸は前記の米国特許第４，５５７，８５３号に更に詳細に記載されている。
【００２６】
その他のアニオン界面活性剤には、モノアルキル、ジアルキル及びトリアルキルリン酸塩のようなホスフェートが挙げられる。
【００２７】
その他のアニオン界面活性剤には、ＲＣＯＮ（ＣＨ３）ＣＨ２ＣＨ２ＣＯ２Ｍに相当するアルカノイルサルコシナートが挙げられ、式中、Ｒは約１０から約２０個の炭素原子のアルキル又はアルケニルであり、そしてＭはアンモニウム、ナトリウム、カリウム及びトリアルカノールアミン（例えば、トリエタノールアミン）のような水溶性カチオンであり、そのサルコシナートの好ましい例は、ラウロイルサルコシン酸ナトリウムである。
【００２８】
タウリンを主成分とするタウレートも有用で、タウリンは２−アミノエタンスルホン酸としても知られている。タウレートの例には、引用してその全体が本明細書に組み入れられている米国特許第２，６５８，０７２号の教示に従って、ドデシルアミンをイセチオン酸ナトリウムと反応させて調製されるタウレートのようなＮ−アルキルタウリンが挙げられる。
【００２９】
本発明の組成物に有用な好ましいアニオン界面活性剤の非限定例には、ラウリル硫酸ナトリウム、ラウリル硫酸アンモニウム、ラウレス硫酸アンモニウム、ラウレス硫酸ナトリウム、トリデセス硫酸ナトリウム、セチル硫酸アンモニウム、セチル硫酸ナトリウム、ココイルイセチオン酸アンモニウム、ラウロイルイセチオン酸ナトリウム、ラウロイルサルコシン酸ナトリウム及びそれらの混合物から成る群から選ばれる界面活性剤が挙げられる。
【００３０】
本発明で使用するのに特に好ましいのは、ラウリル硫酸アンモニウム及びラウレス硫酸アンモニウムである。
【００３１】
ｂ．非イオン界面活性剤
本発明の組成物で使用するための非イオン界面活性剤の非限定例は、ＭｃＣｕｔｃｈｅｏｎのＤｅｔｅｒｇｅｎｔｓ ａｎｄ Ｅｍｕｌｓｉｆｉｅｒｓ、北アメリカ版（１９８６）、ａｌｌｕｅｒｅｄ Ｐｕｂｌｉｓｈｉｎｇ 社発行；及びＭｃＣｕｔｃｈｅｏｎのＦｕｎｃｔｉｏｎａｌ Ｍａｔｅｒｉａｌｓ、北アメリカ版（１９９２）；に開示されていて、その両方は引用してその全体が本明細書に組み入れられている。
【００３２】
本明細書で有用な非イオン界面活性剤には、ポリオキシエチレン、アルキルグリコシド、アルキルポリグリコシド、ポリヒドロキシ脂肪酸アミド、アルコキシル化脂肪酸エステル、スクロースエステル、アミンオキシド、及びそれらの混合物から成る群から選ばれる非イオン界面活性剤が挙げられる。
【００３３】
アルキルグルコキシド及びアルキルポリグルコキシドは本組成物に有用であり、例えば、Ｃ８−３０アルコールの長鎖アルコールと、糖若しくはデンプン又は糖若しくはデンプンポリマーとの縮合生成物、即ちグルコキシド又はポリグルコキシレート、として広く定義することが出来る。これらの化合物は、式（Ｓ）ｎ−Ｏ−Ｒとして表すことが出来、式中、Ｓはグルコース、フルクトース、マンノース及びガラクトースのような糖部分であり；ｎは約１から約１０００の整数であり、そしてＲはＣ８−３０アルキル基である。このアルキル基を誘導出来る長鎖アルコールの例には、デシルアルコール、セチルアルコール、ステアリルアルコール、ラウリルアルコール、ミリスチルアルコール、オレイルアルコール等が挙げられる。これらの界面活性剤の好ましい例には、Ｓがグルコース部分であり、ＲがＣ８−２０アルキル基であり、そしてｎが約１から約９の整数である界面活性剤が挙げられる。これらの界面活性剤の市販品の例には、デシルポリグルコキシド（ＨｅｎｋｅｌからＡＰＧ ３２５ＣＳとして購入出来る）、及びラウリルポリグルコキシド（ＨｅｎｋｅｌからＡＰＧ ６００ ＣＳ及び６２５ ＣＳとして購入出来る）が挙げられる。スクロースココアート及びスクロースラウレートのようなスクロースエステル界面活性剤も有用である。
【００３４】
その他の有用な非イオン界面活性剤には、ポリヒドロキシ脂肪酸アミド界面活性剤が挙げられ、より具体的例には、次式の相当するグルコサミドが挙げられる：
【００３５】
【化１】
0003575685.tif 000002
【００３６】
式中、Ｒ１は、Ｈ、Ｃ１−Ｃ４アルキル、２−ヒドロキシエチル、２−ヒドロキシ−プロピル、好ましくはＣ１−Ｃ４アルキル、更に好ましくはメチル又はエチル、そして最も好ましくはメチルであり；Ｒ２は、Ｃ５−Ｃ３１アルキル又はアルケニル、好ましくはＣ７−Ｃ１９アルキル又はアルケニル、更に好ましくはＣ９−Ｃ１７アルキル又はアルケニル、そして最も好ましくはＣ１１−Ｃ１５アルキル又はアルケニルであり；そしてＺは、鎖に直接結合した少なくとも３個のヒドロキシルを含む線状ヒドロカルビル鎖を有するポリヒドロキシヒドロカルビル部分、又はそれらのアルコキシル化誘導体（好ましくはエトキシル化又はプロポキシル化）である。Ｚは、好ましくはグルコース、フルクトース、マルトース、ラクトース、ガラクトース、マンノース、キシロース、及びそれらの混合物から成る群から選ばれる糖部分である。前記構造式に相当する特に好ましい界面活性剤は、ココナツアルキルＮ−メチルグリコシドアミドである（即ち、式中、Ｒ２ＣＯ−部分はココナッツ油脂肪酸から誘導される）。ポリヒドロキシ脂肪酸アミドを含む組成物の製造方法は、例えば１９５９年２月１８日付けで発行され、Ｔｈｏｍａｓ Ｈｅｄｌｅｙ＆Ｃｏ．Ｌｔｄに付与された英国特許明細書第８０９，０６０号；１９６０年１２月２０日付けで発行され、Ｅ．Ｒ．Ｗｉｌｓｏｎに付与された米国特許第２，９６５，５７６号；１９５５年３月８日付けで発行され、Ａ．Ｍ．Ｓｃｈｗａｔｚに付与された米国特許第２，７０３，７９８号；及び１９３４年１２月２５日付けで発行され、Ｐｉｇｇｏｔｔに付与された米国特許第１，９８５，４２４号に開示され、それらは引用してその全体が本明細書に組み入れられている。
【００３７】
非イオン界面活性剤のその他の例には、アミンオキシドが挙げられる。アミンオキシドは一般式Ｒ１Ｒ２Ｒ３ＮＯに相当し；式中、Ｒ１は、約８から約１８個の炭素原子のアルキル、アルケニル又はモノヒドロキシアルキル基、０から約１０個のエチレンオキシド部分、及び０から約１個のグリセリル部分を含み、並びにＲ２及びＲ３は、約１から約３個の炭素原子、及び０から約１個のヒドロキシ基、例えばメチル、エチル、プロピル、ヒドロキシエチル又はヒドロキシプロピル基を含む。式中の矢印は半極性結合の慣用の表現方法である。本発明で使用するのに好適なアミンオキシドの例には、ジメチル−ドデシルアミンオキシド、オレイルジ（２−ヒドロキシエチル）アミンオキシド、ジメチルオクチルアミンオキシド、ジメチル−デシルアミンオキシド、ジメチル−テトラデシルアミンオキシド、３，６，９−トリオキサヘプタデシルジエチルアミンオキシド、ジ（２−ヒドロキシエチル）−テトラデシルアミンオキシド、２−ドデコキシエチルジメチルアミンオキシド、３−ドデコキシ−２−ヒドロキシプロピルジ（３−ヒドロキシプロピル）アミンオキシド、及びジメチルヘキサデシルアミンオキシドが挙げられる。
【００３８】
本発明で使用するのに好ましい非イオン界面活性剤の非限定例は、ポリオキシエチレン、Ｃ８−Ｃ１４グルコースアミド、Ｃ８−Ｃ１４アルキルポリグリコシド、スクロースココアート、スクロースラウレート、ラウリルアミンオキシド、ココアミンオキシド，及びそれらの混合物から成る群から選ばれる界面活性剤である。
【００３９】
ｃ．両性界面活性剤
本明細書で使用する“両性界面活性剤”と言う用語は、両性界面活性剤のサブセットとして当業界の配合者には公知の双性イオン界面活性剤も包含する積もりである。
【００４０】
広い範囲の両性界面活性剤が本発明の組成物の中で使用出来る。特に有用なのは、第二級及び第三級アミンの誘導体として広く説明されている両性界面活性剤であり、好ましくは窒素がカチオン状態にあり、脂肪族基は直鎖又は分岐鎖が可能であり、そして基の１つがイオン化出来る水溶性基、例えばカルボキシ、スルホネート、スルフェート、ホスフェート又はホスホネートを含む。
【００４１】
本発明の組成物に有用な両性界面活性剤の非限定例は、ＭｃＣｕｔｃｈｅｏｎのＤｅｔｅｒｇｅｎｔｓ ａｎｄ Ｅｍｕｌｓｉｆｉｅｒｓ、北アメリカ版（１９８６）、ａｌｌｕｅｒｅｄ Ｐｕｂｌｉｓｈｉｎｇ 社発行；及びＭｃＣｕｔｃｈｅｏｎのＦｕｎｃｔｉｏｎａｌ Ｍａｔｅｒｉａｌｓ、北アメリカ版（１９９２）；に開示されていて、その両方は引用してその全体が本明細書に組み入れられている。
【００４２】
両性又は双性イオン界面活性剤の非限定例は、ベタイン、スルタイン、ヒドロキシスルタイン、アルキルイミノアセテート、イミノジアルカノエート、アミノアルカノエート、及びそれらの混合物から成る群から選ばれる界面活性剤である。
【００４３】
ベタインの例には、高級アルキルベタイン、例えば、ココジメチルカルボキシメチルベタイン、ラウリルジメチルカルボキシメチルベタイン、ラウリルジメチルアルファカルボキシエチルベタイン、セチルジメチルカルボキシメチルベタイン、セチルジメチルベタイン（Ｌｏｎｚａ社からＬｏｎｚａｉｎｅ １６ＳＰとして購入出来る）、ラウリルビス−（２−ヒドロキシエチル）カルボキシメチルベタイン、オレイルジメチルガンマ−カルボキシプロピルベタイン、ラウリルビス−（２−ヒドロキシプロピル）アルファ−カルボキシエチルベタイン、ココジメチルスルホプロピルベタイン、ラルリルジメチルスルホエチルベタイン、ラウリルビス−（２−ヒドロキシエチル）スルホプロピルベタイン、及びアミドベタインとアミドスルホベタイン（この場合、ＲＣＯＮ（ＣＨ２）３基はベタインの窒素原子に付加している）、オレイルベタイン（Ｈｅｎｋｅｌから両性のＶｅｌｖｅｔｅｘ ＯＬＢ−５０として購入出来る）、並びにコカミドプロピルベタイン（ＨｅｎｋｅｌからＶｅｌｖｅｔｅｘ ＢＫ−３５及びＢＡ−３５として購入出来る）が挙げられる。
【００４４】
スルタイン及びヒドロキシスルタインの例には、コカミドプロピルヒドロキシスルタイン（Ｒｈｏｎｅ−ＰｕｌｅｎｃからＭｉｒａｔａｉｎｅ ＣＢＳとして購入出来る）のような物質が挙げられる。
【００４５】
本発明で使用するのに好ましいのは、下記の構造を有する両性界面活性剤であり：
【００４６】
【化２】
0003575685.tif 000003
【００４７】
式中、Ｒ１は約９から約２２の個の炭素原子を有する非置換で飽和若しくは不飽和の直鎖又は分岐鎖アルキルである。好ましいＲ１は、約１１から約１８個の炭素原子；更に好ましくは約１２から約１８個の炭素原子；尚、更に好ましくは約１４から約１８個の炭素原子を有し；ｍは１から約３の、更に好ましくは約２から約３、更に好ましくは約３の整数であり；ｎは０又は１のどちらか３、好ましくは１であり；Ｒ２及びＲ３は独立して、１から約３個の炭素原子を有する非置換又はヒドロキシで１箇置換されたアルキルから成る群から選ばれ、好ましいＲ２及びＲ３はＣＨ３であり；ＸはＣＯ２、ＳＯ３及びＳＯ４から成る群から選ばれ；Ｒ４は非置換又はヒドロキシで１個置換され、１から約５個の炭素原子を有する飽和又は不飽和の直鎖若しくは分岐鎖アルキルから成る群から選ばれる。ＸがＣＯ２の場合、Ｒ４は、好ましくは１又は３個の炭素原子、更に好ましくは１個の炭素原子を有する。ＸがＳＯ３若しくはＳＯ４の場合、Ｒ４は、好ましくは約２から約４個の炭素原子、更に好ましくは３個の炭素原子を有する。
【００４８】
本発明の両性界面活性剤の例には、下記の化合物が挙げられる：
【００４９】
セチルジメチルベタイン（この物質はＣＴＦＡ規格のセチルベタインも有する）
【００５０】
【化３】
0003575685.tif 000004
【００５１】
コカミドプロピルベタイン
【００５２】
【化４】
0003575685.tif 000005
【００５３】
式中、Ｒは約９から約１３個の炭素原子を有する
コカミドプロピルヒドロキシスルタイン
【００５４】
【化５】
0003575685.tif 000006
【００５５】
式中、Ｒは約９から約１３個の炭素原子を有する。
【００５６】
その他の有用な両性界面活性剤の例は、アルキルイミノアセテート並びに式ＲＮ［（ＣＨ２）ｍＣＯ２Ｍ］２及び式ＲＮＨ（ＣＨ２）ｍＣＯ２Ｍのイミノジアルカノエート及びアミノアルカノエートであり、式中、ｍは１から４であり、ＲはＣ８−ＣＭ２２のアルキル又はアルケニルであり、そしてＭはＨ、アルカリ金属、アルカリ土類金属アンモニウム又はアルカノールアンモニウムである。イミダゾリニウム及びアンモニウム誘導体も挙げられる。好適な両性界面活性剤の具体例には、３−ドデシル−アミノプロピオン酸ナトリウム、３−ドデシル−アミノプロパンスルホン酸ナトリウムが挙げられ、引用してその全体が本明細書に組み入れられている米国特許第２，４３８，０９１号の教示に従って作られるようなＮ−高級アルキルアスパラギン酸；及び“Ｍｉｒａｎｏｌ”の商品名で販売され、そして引用してその全体が本明細書に組み入れられている米国特許第２，５２８，３７８号に記載されている製品が挙げられる。有用な両性界面活性剤のその他の例には、コアミドプロピルＰＧ−ジモニウムクロリドホスフェート（Ｍｏｎａ社からＭｏｎａｑｕａｔ ＰＴＣとして購入出来る）のような両性ホスフェートが挙げられる。ラウロアンホ二酢酸二ナトリウム、ラウロアンホ酢酸ナトリウム、及びそれらの混合物のようなアンホ酢酸塩も有用である。
【００５７】
ｄ．カチオン界面活性剤
本明細書で有用な非イオン界面活性剤の非限定例は、ＭｃＣｕｔｃｈｅｏｎのＤｅｔｅｒｇｅｎｔｓ ａｎｄ Ｅｍｕｌｓｉｆｉｅｒｓ、北アメリカ版（１９８６）、ａｌｌｕｅｒｅｄ Ｐｕｂｌｉｓｈｉｎｇ 社発行；及びＭｃＣｕｔｃｈｅｏｎのＦｕｎｃｔｉｏｎａｌ Ｍａｔｅｒｉａｌｓ、北アメリカ版、（１９９２）に開示されていて；その両方は引用してその全体が本明細書に組み入れられている。
【００５８】
本明細書で有用なカチオン界面活性剤の非限定例には、次式を有するアンモニウム塩のようなカチオンアルキルアンモニウム塩が挙げられる：
Ｒ１Ｒ２Ｒ３Ｒ４Ｎ＋Ｘ−
式中、Ｒ１は、約１２から約１８個の炭素原子を有するアルキル基、又は約１２から約１８個の炭素原子を有する芳香族、アリール若しくはアルキルアリール基から選ばれ；Ｒ２、Ｒ３、及びＲ４は独立して、水素，約１から約１８個の炭素原子を有するアルキル基、又は約１２から約１８個の炭素原子を有する芳香族、アリール若しくはアルカリール基から選ばれ；そしてＸは、塩化物、臭化物、ヨウ化物、アセテート、ホスフェート、ナイトレート、スルフェート、メチルスルフェート、エチルスルフェート、トシレート、ラクテート、シトレート、グリコレート、及びそれらの混合物から選ばれるアニオンである。更に、アルキル基はエーテル結合又はヒドロキシ若しくはアミノ基置換基も含むことが出来る（例えば、アルキル基はポリエチレングリコール又はプロピレングリコール部分を含むことが出来る）。
【００５９】
更に好ましくは、Ｒ１は、約１２から約１８個の炭素原子を有するアルキル基であり；Ｒ２は水素又は約１から約１８個の炭素原子を有するアルキル基から選ばれ；Ｒ３及びＲ４は独立して、水素、又は約１から約３個の炭素原子を有するアルキル基から選ばれ；そしてＸは前記のパラグラフで説明した通りである。
【００６０】
最も好ましくは、Ｒ１は約１２から約１８個の炭素原子を有するアルキルであり；Ｒ２、Ｒ３及びＲ４は水素又は約１から約３個の炭素原子を有するアルキルから選ばれ；そしてＸは前述の通りである。
【００６１】
或いはまた、その他の有用なカチオン界面活性剤には、アミノ−アミドが挙げられる。この場合、前記構造式のＲ１は代替としてＲ５ＣＯ−（ＣＨ２）ｎ−であり、Ｒ５は約１２から約２２個の炭素原子を有するアルキル基であり、そしてｎは約２から約６、更に好ましくは約２から約４、そして最も好ましくは約２から約３の整数である。これらのカチオン乳化剤の非限定例には、ステアロアミドプロピルＰＧ−ジモニウムクロリドホスフェート、ステアロアミドプロピルエチルジモニウムエトスルフェート、ステアロアミドプロピルジメチル（ミリスチルアセテート）アンモニウムクロリド、ステアロアミドプロピルジメチルセテアリルアンモニウムトシレート、ステアロアミドプロピルジメチルアンモニウムクロリド、ステアロアミドプロピルジメチルアンモニウムラクテート、及びそれらの混合物が挙げられる。
【００６２】
第四級アンモニウム塩カチオン界面活性剤の非限定例には、セチルアンモニウムクロリド、セチルアンモニウムブロミド、ラウリルアンモニウムクロリド、ラウリルアンモニウムブロミド、ステアリルアンモニウムクロリド、ステアリルアンモニウムブロミド、セチルジメチルアンモニウムクロリド、セチルジメチルアンモニウムブロミド、ラウリルジメチルアンモニウムクロリド、ラウリルジメチルアンモニウムブロミド、ステアリルジメチルアンモニウムクロリド、ステアリルジメチルアンモニウムブロミド、セチルトリメチルアンモニウムクロリド、セチルトリメチルアンモニウムブロミド、ラウリルトリメチルアンモニウムクロリド、ラウリルトリメチルアンモニウムブロミド、ステアリルトリメチルアンモニウムクロリド、ステアリルトリメチルアンモニウムブロミド、ラウリルジメチルアンモニウムクロリド、ステアリルジメチルセチルジタロウジメチルアンモニウムクロリド、ジセチルアンモニウムクロリド、ジセチルアンモニウムブロミド、ジラウリルアンモニウムクロリド、ジラウリルアンモニウムブロミド、ジステアリルアンモニウムクロリド、ジステアリルアンモニウムブロミド、ジセチルメチルアンモニウムクロリド、ジセチルメチルアンモニウムブロミド、ジラウリルメチルアンモニウムクロリド、ジラウリルメチルアンモニウムブロミド、ジステアリルメチルアンモニウムクロリド、ジステアリルジメチルアンモニウムクロリド、ジステアリルメチルアンモニウムブロミド、及びそれらの混合物から成る群から選ばれるカチオン界面活性剤が挙げられる。追加の第四級アンモニウム塩には、Ｃ１２ないしＣ２２アルキル炭素鎖がタロウ脂肪酸又はココナツ脂肪酸から誘導されるアンモニウム塩が挙げられる。“タロウ”と言う用語は、タロウ脂肪酸（普通に水素化されたタロウ脂肪酸）から誘導されるアルキルを指し、それは一般的にＣ１６ないしＣ１８の範囲のアルキル鎖の混合物を有する。“ココナツ”と言う用語は、ココナツ脂肪酸から誘導されるアルキルを指し、それは一般的にＣ１２ないしＣ１４の範囲のアルキル鎖の混合物を有する。これらのタロウ及びココナツ資源から誘導される第四級アンモニウム塩の例には、ジタロウジメチルアンモニウムクロリド、ジタロウジメチルアンモニウムメチルサルフェート、ジ（水素化タロウ）ジメチルアンモニウムクロリド、ジ（水素化タロウ）ジメチルアンモニウムアセテート、ジタロウジプロピルアンモニウムホスフェート、ジタロウジメチルアンモニウムナイトレート、ジ（ココナツアルキル）ジメチルアンモニウムクロリド、ジ（ココナツアルキル）ジメチルアンモニウムブロミド、タロウアンモニウムクロリド、ココナツアンモニウムクロリド、ステアロアミドプロピルＰＧ−ジモニウムクロリドホスフェート、ステアロアミドプロピルエチルジモニウムエトスルフェート、ステアロアミドプロピルジメチル（ミリスチルアセテート）アンモニウムクロリド、ステアロアミドプロピルジメチルステアリルアンモニウムトシレート、ステアロアミドプロピルジメチルアンモニウムクロリド、ステアロアミドプロピルジメチルアンモニウムラクテート、及びそれらの混合物が挙げられる。
【００６３】
本明細書で有用な好ましいカチオン界面活性剤には、ジラウリルジメチルアンモニウムクロリド、ジステアリルジメチルアンモニウムクロリド、ジミリスチルジメチルアンモニウムクロリド、ジパルミチルジメチルアンモニウムクロリド、ジステアリルジメチルアンモニウムクロリド、及びそれらの混合物から成る群から選ばれる界面活性剤が挙げられる。
【００６４】
２．任意成分
ａ．コンディショニング成分
本発明のパーソナルクレンジング用払拭体で使用される水性クレンジング組成物は、製品の使用過程で皮膚にコンディショニング効果を付与するのに有用な親油性の皮膚コンディショニング剤を必要に応じて含むことが出来て好ましい。本発明で使用される水性クレンジング溶液は、一般的に水性クレンジング水組成物の重量で約０．１％から約３０％、好ましくは約０．５％から約２０％、好ましくは約１％から約１０％、更に好ましは約１％から約５％を含む。
【００６５】
親油性の皮膚コンディショニング剤は、親油性皮膚コンディショニング剤の重み付き算術平均溶解度パラメータが１０．５以下になるような１種以上の油溶性コンディショニング剤から選ばれる。溶解度パラメータのこのような数学的定義基づいて、例えば化合物の１種が１０．５超の特有の溶解度パラメータを有する場合、２個以上の化合物を含む親油性皮膚コンディショニング剤は所望の重み付き算術平均溶解度パラメータ、即ち１０．５以下を達成するが可能であると理解される。
【００６６】
溶解度パラメータは、普通の当業者の配合化学者には公知であり、配合プロセスにおける材料の相溶性及び溶解度を決める手掛かりとしてよく使用される。
【００６７】
化合物の溶解度パラメータδは、その化合物についての凝集エネルギー密度の平方根として定義される。一般的に、化合物の溶解度パラメータは、次式を用いてその化合物の成分の蒸発熱及び分子容に関する付加基の寄与についての作表値から計算される：
【００６８】
【数１】
0003575685.tif 000007
【００６９】
式中、ΣｉＥｉ＝付加基の蒸発熱の寄与度の合計
Σｉｍｉ＝付加基の分子容の寄与度の合計
種々の原子及び分子群に関する蒸発熱及び分子容の付加基の寄与の程度の標準作表はＢａｒｔｏｎ、Ａ．Ｆ．Ｍ．、Ｈａｎｄｂｏｏｋ ｏｆ Ｓｏｌｕｂｉｌｉｔｙ Ｐａｒａｍｅｔｅｒｓ、 ＣＲＣ Ｐｒｅｓｓ、第６章、第３表、６４−６６頁（１９８５）に集約され、それは引用してその全体が本明細書に組み入れられている。上記溶解度パラメータ式は、Ｆｅｄｏｒｓ．Ｒ．Ｆ．、“Ａ Ｍｅｔｈｏｄ ｆｏｒ Ｅｓｔｉｍａｔｉｎｇ Ｂｏｔｈ ｔｈｅ Ｓｏｌｕｂｉｌｉｔｙ Ｐａｒａｍｅｔｅｒｓ ａｎｄ Ｍｏｌａｒ Ｖｏｌｕｍｅｓ ｏｆ Ｌｉｑｕｉｄｓ”、Ｐｏｌｙｍｅｒ Ｅｎｇｉｎｅｅｒｉｎｇ ａｎｄ Ｓｃｉｅｎｃｅ，第１４巻、第２号、１４７−１５４頁（１９７４年２月）に記載され，それは引用してその全体が本明細書に組み入れられている。
【００７０】
溶解度パラメータは、物質の混合物の溶解度パラメータがその混合物の各成分の溶解度パラメータの重み付き算術平均（即ち、加重平均）で示されるような混合物の法則に従う。引用してその全体が本明細書に組み入れられているＨａｎｄｂｏｏｋ ｏｆ Ｃｈｅｍｉｓｔｒｙ ａｎｄ Ｐｈｙｓｉｃｓ、第５７版、ＣＲＣ Ｐｒｅｓｓ Ｃ−７２６頁（１９７６−１９７７）を参照されたい。
【００７１】
配合化学者は、一般的には、（ｃａｌ／ｃｍ３）１／２の単位で溶解度パラメータを報告し，そして使用する。Ｈａｎｄｂｏｏｋ ｏｆ Ｓｏｌｕｂｉｌｉｔｙ Ｐａｒａｍｅｔｅｒｓでの蒸発熱に関する付加基の寄与度の作表値は、ｋＪ／ｍｏｌの単位で報告されている。しかしながら、これらの作表された蒸発熱値は次の公知の関係を用いてｃａｌ／ｍｏｌに容易に換算される：
１Ｊ／ｍｏｌ＝０．２３９００６ｃａｌ／ｍｏｌ及び１０００Ｊ＝１ｋＪ
引用してその全体が本明細書に組み入れられているＧｏｒｄｏｎ，Ａ．Ｊ等、Ｔｈｅ Ｃｈｅｍｉｓｔ‘ｓ Ｃｏｍｐａｎｉｏｎ，Ｊｏｈｎ Ｗｉｌｅｙ＆Ｓｏｎｓ、４５６−４６３頁（１９７２）を参照されたい。
【００７２】
溶解度パラメータも広範囲の化合物について作表されている。溶解度パラメータの作表は前記のＨａｎｄｂｏｏｋ ｏｆ Ｓｏｌｕｂｉｌｉｔｙ Ｐａｒａｍｅｔｅｒｓで見られる。“Ｓｏｌｕｂｉｌｉｔｙ Ｅｆｆｅｃｔｓ Ｉｎ Ｐｒｏｄｕｃｔ，Ｐａｃｋａｇｅ，Ｐｅｎｅｔｒａｔｉｏｎ Ａｎｄ Ｐｒｅｓｅｒｖａｔｉｏｎ”、Ｃ．Ｄ．Ｖａｕｇｈａｎ、Ｃｏｓｍｅｔｉｃｓ ａｎｄ Ｔｏｉｌｅｔｒｉｅｓ、１０３巻、４７−６９頁、１９８８年１０月も参照されたい、それらは引用してその全体が本明細書に組み入れられている。
【００７３】
本発明の組成物に有用な親油性皮膚用コンディショニング剤の非限定例には、鉱油、ペトロラタム、Ｃ７−Ｃ４０分岐鎖炭化水素、Ｃ１−Ｃ３０カルボン酸、Ｃ１−Ｃ３０カルボン酸のＣ１−Ｃ３０アルコールエステル、Ｃ２−Ｃ３０ジカルボン酸のＣ１−Ｃ３０アルコールエステル、Ｃ１−Ｃ３０カルボン酸のモノグリセリド、Ｃ１−Ｃ３０カルボン酸のジグリセリド、Ｃ１−Ｃ３０カルボン酸のトリグリセリド、Ｃ１−Ｃ３０カルボン酸のエチレングリコールモノエステル、Ｃ１−Ｃ３０カルボン酸のエチレングリコールジエステル、Ｃ１−Ｃ３０カルボン酸のプロピレングリコールモノエステル、Ｃ１−Ｃ３０カルボン酸のプロピレングリコールジエステル、糖類のＣ１−Ｃ３０カルボン酸モノエステル及びポリエステル、ポリジアルキルシロキサン、ポリジアリールシロキサン、ポリアルカリールシロキサン、３ないし９個のケイ素原子を有するシクロメチコン、植物油、水素化植物油、ポリプロピレングリコールＣ４−Ｃ２０アルキルエーテル、ジＣ８−Ｃ３０アルキルエーテル、及びそれらの混合物が挙げられる。
【００７４】
ペトロラタム液体としても周知の鉱油は、石油から得られる液体炭化水素の混合物である。Ｔｈｅ Ｍｅｒｃｋ Ｉｎｄｅｘ Ｔｅｎｔｈ Ｅｄｉｔｉｏｎ Ｅｎｔｒｙ ７０４８．１０３３頁、（１９８３）及びＩｎｔｅｒｎａｔｉｏｎａｌ Ｃｏｓｍｅｔｉｃ Ｉｎｇｒｅｄｉｅｎｔ Ｄｉｃｔｉｏｎａｒｙ、第５版、第１巻、４１５−４１７頁（１９９３）を参照されたい、両方は引用してその全体が本明細書に組み入れられている。
【００７５】
ワセリンとしても周知のペトロラタムは、非直鎖の固形炭化水素と高沸点液体炭化水素のコロイド系であり、その系では大抵の液体炭化水素はミセルの中の内部に保持されている。Ｔｈｅ Ｍｅｒｃｋ Ｉｎｄｅｘ Ｔｅｎｔｈ Ｅｄｉｔｉｏｎ Ｅｎｔｒｙ ７０４７．１０３３頁、（１９８３）；Ｓｃｈｉｎｄｌｅｒ、Ｄｒｕｇ Ｃｏｓｍｅｔ．Ｉｎｄ．８９、３６−３７、７６、７８−８０、８２（１９６１）；及びＩｎｔｅｒｎａｔｉｏｎａｌ Ｃｏｓｍｃｅｔｉｃ Ｉｎｇｒｅｄｉｅｎｔ Ｄｉｃｔｉｏｎａｒｙ、第５版、第１巻、５３７頁（１９９３）を参照されたい、それらは引用してその全体が本明細書に組み入れられている。
【００７６】
約７から約４０個の炭素原子を有する直鎖及び分岐鎖炭化水素は本組成物に有用である。これらの炭化水素物質の非限定例には、ドデセン、イソドデセン、スクアラン、コレステロール、水素化ポリイソブチレン、ドコサン（即ち、Ｃ２２炭化水素）、ヘキサデカン、イソヘキサデカン（Ｎ．Ｊ．州、Ｓｏｕｔｈ ＰｌａｉｎｆｉｅｌｄのＰｒｅｓｐｅｒｓｅによってＰｅｒｍｅｔｈｙｌ  １０１Ａとして市販されている炭化水素）が挙げられる。Ｃ７−Ｃ４０分岐炭化水素であるＣ７−Ｃ４０イソパラフィンも有用である。
【００７７】
直鎖及び分岐鎖物質ばかりでなく、芳香族誘導体も含めて、Ｃ１−Ｃ３０カルボン酸、及びＣ２−Ｃ３０ジカルボン酸のＣ１−Ｃ３０アルコールエステルも有用である。Ｃ１−Ｃ３０カルボン酸のモノグリセリド、Ｃ１−Ｃ３０カルボン酸のジグリセリド、Ｃ１−Ｃ３０カルボン酸のトリグリセリド、Ｃ１−Ｃ３０カルボン酸のエチレングリコールモノエステル、Ｃ１−Ｃ３０カルボン酸のエチレングリコールジエステル、Ｃ１−Ｃ３０カルボン酸のプロピレングリコールモノエステル、及びＣ１−Ｃ３０カルボン酸のプロピレングリコールジエステルも有用である。直鎖、分岐鎖、及びアリールカルボン酸が本発明に含まれる。これらの物質のプロポキシル化及びエトキシル化誘導体も有用である。非限定例には、セバシン酸ジイソプロピル、アジピン酸ジイソプロピル、ミリスチン酸イソプロピル、パルミチン酸イソプロピル、プロピオン酸ミリスチル、エチレングリコールジステアレート、パルミチン酸２−エチルヘキシル、ネオペンタン酸イソデシル、マイン酸ジ−２−エチルヘキシル、パルミチン酸セチル、ミリスチン酸ミリスチル、ステアリン酸ステアリル、ステアリン酸セチル、ベヘン酸ベヘニル、マレイン酸ジオクチル、セバシン酸ジオクチル、アジピン酸ジイソプロピル、オクタン酸セチル、ジリノール酸ジイソプロピル、カプリル／カプリントリグリセリド、ＰＥＧ−６カプリル／カプリントリグリセリド、ＰＥＧ−８カプリル／カプリントリグリセリド、及びそれらの混合物が挙げられる。
【００７８】
糖類及び関連物質の種々のＣ１−Ｃ３０モノエステル及びポリエステルも有用である。これらのエステルは、糖又はポリオール部分と１種以上のカルンボ酸部分から誘導される。構成する酸と糖によるが、これらのエステルは、室温では液状でも固形でも可能である。液状エステルの例には次が挙げられる：グルコーステトラオレエート、大豆油脂肪酸（不飽和）のグルコーステトラエステル、混合大豆油脂肪酸のマンノーステトラエステル、オレイン酸のガラクトーステトラエステル、リノール酸のアラビノーステトラエステル、キシローステトラリノレエート、ガラクトースペンタオレエート、ソルビトールテトラオレエート、不飽和大豆油脂肪酸のソルビトールヘキサエステル、キシリトールペンタオレエート、スクローステトラオレエート、スクロースペンタオレエート、スクロースヘキサオレエート、スクロースヘプタオレエート、スクロースオクタオレエート、及びそれらの混合物。固形エステルの例には次が挙げられる：カルボン酸エステル部分がモル比１：２のパルミトオレエートとアラキデートである、ソルビトールヘキサエステル；カルボン酸エステル部分がモル比１：３のリノレエートとベヘナートである、ラフィノースのオクタエステル；エステル化カルボン酸部分がモル比３：４のひまわり油脂肪酸とリグノセラートである、マルトースのヘプタエステル；エステル化カルボン酸部分がモル比２：６のオレエートとベヘナートである、スクロースのオクタエステル；及びエステル化カルボン酸部分がモル比１：３：４のラウレートとリノレエートとベヘナートである、スクロースのオクタエステル。好ましい固形物質はスクロースポリエステルであり、エステル化度は７−８であり、脂肪酸部分は、不飽和酸：ベヘン酸のモル比で１：７ないし３：５のＣ１８のモノ−及び／又はジ−不飽和酸とベヘン酸である。特に好ましい固形糖ポリエステルはスクロースのオクタエステルであり、そのエステルの中に約７個のベヘン脂肪酸部分と約１個のオレイン酸部分がある。その他の物質には、スクロースの綿実油又は大豆油脂肪酸エステルが挙げられる。エステル物質は更に、米国特許第２，８３１，８５４号、１９７７年１月２５日付けで発行され、Ｊａｎｄａｃｅｋに付与された米国特許第４，００５，１９６号；１９７７年１月２５日付けで発行され、Ｊａｎｄａｃｅｋに付与された米国特許第４，００５，１９５号、１９９４年４月２６日付けで発行され、Ｌｅｔｔｏｎ等に付与された米国特許第５，３０６，５１６号；１９９４年４月２６日付けで発行され、Ｌｅｔｔｏｎ等に付与された米国特許第５，３０６，５１５号；１９９４年４月２６日付けで発行され、Ｌｅｔｔｏｎ等に付与された米国特許第５，３０６，５１４号；１９８９年１月１０日付けで発行され、Ｊａｎｄａｃｅｋ等に付与された米国特許第４，７９７，３００号；１９７６年６月１５日付けで発行され、Ｒｉｚｚｉ等に付与された米国特許第３，９６３，６９９号；１９８５年５月２１日付けで発行され、Ｖｏｌｐｅｎｈｅｉｎに付与された米国特許第４，５１８，７７２号；及び１９８５年５月２１日付けで発行され、Ｖｏｌｐｅｎｈｅｉｎに付与された米国特許第４，５１７，３６０号に記載されている；それら全ては、引用してその全体が本明細書に組み入れられている。
【００７９】
ポリジアルキルシロキサン、ポリジアリールシロキサン、及びポリジアルカリールシロキサンのような非揮発性シリコーンも有用な油類である。これらのシリコーンは、１９９１年１２月３日付けで発行され、Ｏｒｒに付与された米国特許第５，０６９，８９７号に開示されていて、それは引用してその全体が本明細書に組み入れられている。ポリアルキルシロキサンは一般化学式Ｒ３Ｓｉ［Ｒ２ＳｉＯ］ｘＳｉＲ３に相当し、式中、Ｒはアルキル基（好ましくはＲはメチル、エチル、更に好ましくはメチル）でありあ、ｘは最高約５００の整数であって所望の分子量になるように選ばれる。市販のポリアルキルシロキサンには、ポリジメチルシロキサンが挙げられ、これはジメチコンとしても知られ、この非限定例には、Ｇｅｎｅｒａｌ Ｅｌｅｃｔｒｉｃ社によって販売されているＶｉｃａｓｉｌ シリーズ、及びＤｏｗ Ｃｏｒｎｉｎｇ社によって販売されているＤｏｗ Ｃｏｒｎｉｎｇ ２００シリーズが挙げられる。本発明の組成物に有用なポリジメチルシロキサンの具体例には、１０センチストークスの粘度及び２００℃超の沸点を有するＤｏｗ Ｃｏｒｎｉｎｇ ２２５流体、並びに各々、５０、３５０、と１２，５００センチストークスの粘度、及び２００℃超の沸点を有するＤｏｗ Ｃｏｒｎｉｎｇ ２００流体が挙げられる。一般化学式［（ＣＨ２）３ＳｉＯ１／２］ｘ［ＳｉＯ２］ｙに相当する高分子物質であるトリメチルシロキシシリケートのような物質も有用であり、式中、ｘは約１から約５００の整数であり、ｙは約１から約５００の整数である。市販のトリメチルシロキシシリケートは、Ｄｏｗ Ｃｏｒｎｉｎｇ ５９３流体のようなジメチコンとの混合物として販売されている。ヒドロキシ末端型ジメチルシリコーンであるジメチコールも本発明の組成物に有用である。これらの物質は一般化学式Ｒ３ＳｉＯ［Ｒ２ＳｉＯ］ｘＳｉＲ２ＯＨ、及びＨＯＲ２ＳｉＯ［Ｒ２ＳｉＯ］ｘＳｉＲ２ＯＨによって表され、式中、Ｒはアルキル基（好ましくはＲはメチル又はエチル，更に好ましくはメチルである）であり、ｘは最高約５００の整数であって所望の分子量となるように選ばれる。市販のジメチコールは、一般的にメチコン又はジメチコンとの混合物として販売されている（例えば、Ｄｏｗ Ｃｏｒｎｉｎｇ １４０１，１４０２及び１４０３流体）。ポリアルキルアリールシロキサンも本発明の組成物に有用であり、２５℃で約１５から約６５センチストークスの粘度を有するポリメチルフェニルシロキサンが好ましい。これらの物質は例えば、ＳＦ １０７５メチルフェニル流体（Ｇｅｎｅｒａｌ Ｅｌｅｃｔｒｉｃ社によって販売されている）、及び５５６Ｃｏｃｍ ｅｔｉｃ Ｇｒａｄｅ フェニルトリメチコン流体（Ｄｏｗ Ｃｏｒｎｉｎｇによって販売されている）として購入出来る。
【００８０】
植物油及び水素化植物油も本組成物に有用である。植物油及び水素化植物油の例には次が挙げられる：べにばな油、ひまし油、ココナツ油、綿実油、メンヘーデン油、パームナッツ油、パーム油、落花生油、大豆油、なたね油、あまに油、米ぬか油、パイン油、ごま油、ひまわり油、水素化べにばな油、水素化ひまし油、水素化ココナツ油、水素化綿実油、水素化メンヘーデン油、水素化パームナッツ油、水素化パーム油、水素化落花生油、水素化大豆油、水素化なたね油、水素化あまに油、水素化米ぬか油、水素化ごま油、水素化ひまわり油、及びそれらの混合物。
【００８１】
ポリプロピレングリコールのＣ４−Ｃ２０アルキルエーテル、ポリプロピレングリコールのＣ１−Ｃ２０カルボン酸エステル、及びジ−Ｃ８−Ｃ３０アルキルエーテルも有用である。これらの物質の非限定例には、ＰＰＧ−１４ブチルエーテル、ＰＰＧ−１５ステアリルエーテル、ジオクチルエーテル、ドデシルオクチルエーテル、及びそれらの混合物が挙げられる。
【００８２】
ｂ．活性成分
本発明のパーソナルクレンジング用払拭体は、１種以上の活性成分又は薬学的に許容されるその塩の安全かつ有効な量を必要に応じて含むことが出来る。
【００８３】
本発明で使用される“安全かつ有効な量”と言う用語は、健全な医学的判断の範囲内において、妥当な効果対危険比で、処置対象の症状を改善するか或いは望ましい皮膚効果を達成するほど充分に高いが、激しい副作用を防止するほど充分に低い活性成分の量を意味する。活性成分の安全かつ有効な量は、具体的な活性成分、皮膚に浸透する活性成分の性能、使用する人の年齢、健康状態及び皮膚状態、並びにその他の同様な因子に応じて変動する。
【００８４】
本組成物に有用な活性成分は、それらの治療効果又はそれらの作用推定様式によって分類出来る。しかしながら、本組成物に有用な活性成分は、或る場合は、２つ以上の治療効果を発現するか又は２つ以上の作用様式によって作用すると理解すべきである。従って本組成物でのいろいろな分類も利便性を基に行なわれ、前述の特定の適用例又は適用例群に活性成分を限定する積りはない。また、これらの活性成分の薬学的に許容出来る塩も本組成物で有用である。次の活性成分が本発明の組成物に有用である。
【００８５】
抗アクネ活性剤：有用な抗アクネ活性剤の例には、サリチル酸（ｏ−ヒドロキシ安息香酸）、５−オクタノイルサリチル酸のようなサリチル酸誘導体、及びレゾルシノールのような角質溶解剤；レチン酸及びその誘導体（例えば、シス及びトランス）のようなレチノイド；硫黄含有Ｄ及びＬアミノ酸並びにその誘導体、特にそれらのＮ−アセチル誘導体、その好ましい例には、Ｎ−アセチル−Ｌ−システイン；リポ酸；過酸化ベンゾイル、オクトピロックス、テトラサイクリン、２，４，４‘−トリクロロ−２’−ヒドロキシジフェニルエーテル、３，３，４‘−トリクロロバニリド、アゼライン酸及びその誘導体、フェノキシエタノール、フェノキシプロパノール、フェノキシイソプロパノール、酢酸エチル、クリンダマイシン、及びメクロサイクリンのような抗生物質及び抗菌物質；フラボノイドのような皮脂抑制剤；並びに硫酸シムノール及びその誘導体、デオキシコール酸及びコール酸塩のような胆汁塩が挙げられる。
【００８６】
抗しわ及び抗皮膚萎縮症活性剤：抗しわ及び抗皮膚萎縮症活性剤の例には、次が挙げられる：レチン酸及びその誘導体（例えば、シス及びトランス）；レチノール；レチニルエステル；ナイアシンアミド、サリチル酸及びその誘導体；硫黄含有Ｄ及びＬアミノ酸並びにその誘導体及び塩、特にＮ−アセチル誘導体、その好ましい例はＮ−アセチル−Ｌ−システイン；チオール、例えばエタンチオール；ヒドロキシ酸、フィチン酸、リポ酸；リゾホスファチジン酸及び皮膚剥脱剤（例えばフェノール等）が挙げられる。
【００８７】
非ステロイド系抗炎症剤（ＮＳＡＩＤＳ）：ＮＳＡＩＤＳの例には、次のカテゴリーが挙げられる：プロピオン酸誘導体；酢酸誘導体；フェナム酸誘導体；ビフェニルカルボン酸誘導体；及びオキシカム類。これらＮＳＡＩＤＳ全ては、引用してその全体が本明細書に組み入れられている１９９１年１月１５日付けで発行され、Ｓｕｎｓｈｉｎｅ等に付与された米国特許第４，９８５，４５９号に詳細に記載されている。有用なＮＳＡＩＤＳの例には、アセチルサリチル酸、イブプロフェン、ナプロキセン、ベノキサプロフェン、フルルビプロフェン、フェノプロフェン、フェンブフェン、ケトプロフェン、インドプロフェン、ピルプロフェン、カルプロフェン、オキサプロジン、プラノプロフェン、ミロプロフェン、チオキサプロフェン、スプロフェン、アルミノプロフェン、チアプロフェン酸、フルプロフェン及びブクロキシ酸が挙げられる。ヒドロコルチゾン等を含めてステロイド系抗炎症剤も有用である。
【００８８】
局所麻酔剤：局所麻酔剤の例には、ベンゾカイン、リドカイン、ブピバカイン、クロロプロカイン、ジブカイン、エチド−カイン、メピバカイン、テトラカイン、ジクロニン、ヘキシルカイン、プロ−カイン、コカイン、ケタミン、プラモキシン、フェノール及びそれらの薬学的に許容される塩が挙げられる。
【００８９】
人工日焼け剤及び促進剤：人工日焼け剤及び促進剤の例には、ジヒドロキシアセトン、チロシン、チロシン酸エチルのようなチロシンエステル，及びホスホ−ＤＯＰＡが挙げられる。
【００９０】
抗菌物質及び抗真菌活性剤：抗菌物質及び抗真菌活性剤の例には、β−ラクタム剤、キノロン剤、シプロフロキサシン、ノルフロキサシン、テトラサイクリン、エリスロマイシン、アミカシン、２，４，４‘−トリクロロ−２’−ヒドロキシジフェニルエーテル、３，４，４’−トリクロロバニリド、フェノキシエタノール、フェノキシプロパノール、フェノキシイソプロパノール、ドキシサイクリン、カプレオマイシン、クロルヘキシジン、クロルテトラサイクリン、オキシテトラサイクリン、クリンダマイシン、エタンブトール、イセチオン酸ヘキサミジン、メトロニダゾール、ペンタミジン、ゲンタマイシン、カナマイシン、リネオマイシン、メタサイクリン、メテナミン、ミノサイクリン、ネオマイシン、ネチルマイシン、パロモマイシン、ストレプトマイシン、トブラマイシン、ミコナゾール、塩酸テトラサイクリン、エリスロマイシン、亜鉛エリスロマイシン、エリスロマイシンエストレート、ステアリン酸エリスロマイシン、硫酸アミカシン、塩酸ドキシサイクリン、硫酸カプレオマイシン、グルコン酸クロルヘキシジン、塩酸クロルヘキシジン、塩酸クロルテトラサイクリン、塩酸オキシテトラサイクリン、塩酸クリンダマイシン、塩酸エタンブトール、塩酸メトロニダゾール、塩酸ペンタミジン、硫酸ゲンタマイシン、硫酸カナマイシン、塩酸リネオマイシン、塩酸メタサイクリン、馬尿酸メテナミン、マンデル酸メテナミン、塩酸ミノサイクリン、硫酸ネオマイシン、硫酸ネチルマイシン、硫酸パロモマイシン、硫酸ストレプトマイシン、硫酸トブラマイシン、塩酸ミコナゾール、塩酸アマンファジン、硫酸アマンファジン、オクトピロックス、パラクロロメタキシレノール、ニスタチン、トルナフテート、亜鉛ピリチオン、及びクロトリマゾールが挙げられる。
【００９１】
本組成物に有用な活性剤の好ましい例には、サリチル酸、過酸化ベンゾイル、３−ヒドロキシ安息香酸、グリコール酸、乳酸、４−ヒドロキシ安息香酸、アセチルサリチル酸、２−ヒドロキシブタノン酸、２−ヒドロキシペンタノン酸、２−ヒドロキシヘキサノン酸、シス−レチノイン酸、トランス−レチノイン酸、レチノール、フィチン酸、Ｎ−アセチル−Ｌ−システイン、リポ酸、アゼライン酸、アラキドン酸、過酸化ベンゾイル、テトラサイクリン、イブフロフェン、ナプロキセン、ヒドロコルチゾン、アセトミノフェン（ａｃｅｔｏｍｉｎｏｐｈｅｎ）、レゾルシノール、フェノキシエタノール、フェノキシプロパノール、フェノキシイソプロパノール、２，４，４’−トリクロロ−２’−ヒドロキシジフェニルエーテル、３，４，４’−トリクロロカルバニリド、オクトピロックス、塩酸リドカイン、クロトリマゾール、ミコナゾール、硫酸ネオマイシン、及びそれらの混合物から成る群から選ばれる活性剤である。
【００９２】
日焼け止め活性剤：日焼け止め活性剤も本組成物に有用である。多種多様な日焼け止め活性剤が、１９９２年２月１１日付けで発行され、Ｈａｆｆｅｙ等に付与された米国特許第５，０８７，４４５号；１９９１年１２月１７日付けで発行され、Ｔｕｒｎｅｒ等に付与された米国特許第５，０３７，３７２号；１９９１年１２月１７日付けで発行され、Ｔｕｒｎｅｒ等に付与された米国特許第５，０３７，３７１号；Ｓｅｇａｒｉｎ等の、Ｃｏｓｍｅｔｉｃｓ Ｓｃｉｅｎｃｅ ａｎｄ Ｔｅｃｈｎｏｌｇｙ、第ＶＩＩＩ章、１８９頁以降に記載されていて、それら全ては引用してその全体が本明細書に組み入れられている。本発明の組成物で有用な  日焼け止め活性剤の非限定例には、ｐ−メトキシケイ皮酸２−エチルヘキシル、Ｎ，Ｎ−ジメチル−ｐ−アミノ安息香酸２−エチルヘキシル、ｐ−アミノ安息香酸、２−フェニルベンズイミダゾール−５−スルホン酸、オクトクレリン、オキシベンゾン、サリチル酸ホモメンチル、サリチル酸オクチル、４，４’−メトキシ−ｔ−ブチルベンゾイルメタン、４−イソプロピルジベンゾイルメタン、３−ベンジリデンカンファー、３−（４−メチルベンジリデン）カンファー、二酸化チタン、酸化亜鉛、シリカ、酸化鉄、及びそれらの混合物から成る群から選ばれる活性剤である。更にその他の有用な日焼け止め剤は、１９９０年６月２６日付けで発行され、Ｓａｂａｔｅｌｌｉに付与された米国特許第４，９３７，３７０号；及び１９９１年３月１２日付けで発行され、Ｓａｂａｔｅｌｌｉ等に付与された米国特許第４，９９９，１８６号に開示され；その両方は引用してその全体が本明細書に組み入れられている。これら日焼け止め剤の特に好ましい例には、２，４−ジヒドロキシベンゾフェノンの４−Ｎ，Ｎ−（２−エチルヘキシル）メチルアミノ安息香酸エステル、４−ヒドロキシジベンゾイルメタンとの４−Ｎ，Ｎ−（２−エチルヘキシル）メチルアミノ安息香酸エステル、２−ヒドロキシ−４−（２−ヒドロキシエトキシ）ベンゾフェノンの４−Ｎ，Ｎ−（２−エチルヘキシル）−メチルアミノ安息香酸エステル、４−（２−ヒドロキシエトキシ）ジベンゾイルメタンの４−Ｎ，Ｎ−（２−エチルヘキシル）−メチルアミノ安息香酸エステル及びそれらの混合物から成る群から選ばれる活性剤が挙げられる。使用出来る日焼け止め剤の正確な量は、選ばれる日焼け止め剤及び達成対象の所望の日光保護係数（ＳＰＦ）によって変動する。ＳＰＦは、紅斑に対する日焼け止め剤の日光保護に関してよく使用される尺度である。米国連邦官報の１９７８年８月２５日付け、第４３巻、第１６６号、３８２０６−３８２６９頁を参照されたい、それは引用してその全体が本明細書に組み入れられている。
【００９３】
本組成物に有用な好ましい活性剤の非限定例には、サリチル酸、過酸化ベンゾイル、ナイアシンアミド、シス−レチノイン酸、トランス−レチノイン酸、レチノール、パルミチン酸レチニル、フィチン酸、Ｎ−アセチル−Ｌ−システイン、アゼライン酸、リポ酸、レゾルシノール、乳酸、グリコール酸、イブプロフェン、ナプロキセン、ヒドロコルチゾン、フェノキシエタノール、フェノキシプロパノール、フェノキシイソプロパノール、２，４，４’−トリクロロ−２’−ヒドロキシジフェニルエーテル、３，４，４’−トリクロロカルバニド、２−エチルヘキシルｐ−メトキシケイ皮酸、オキシベンゾン、２−フェニルベンズイミダゾール−５−スルホン酸、ジヒドロキシアセトン、及びそれらの混合物から成る群から選ばれる活性剤が挙げられる。
【００９４】
ｃ．プロトン供与剤
本発明のパーソナルクレンジング用払拭体を含む水性クレンジング組成物は、必要に応じてクレンジング組成物の重量基準で、約０．１％から約１０％、好ましくは約０．５％から約８％、更に好ましくは約１％から約５％のプロトン供与剤を含む。“プロトン供与剤”とは、使用後に皮膚上で解離した酸となるあらゆる酸化合物又はその混合物を意味する。プロトン供与剤は、高分子酸を含む有機酸、鉱酸又はそれらの混合物が可能である。
【００９５】
プロトン供与剤として使用出来る有機酸の例の非限定リストは、アジピン酸、酒石酸、クエン酸、マレイン酸、リンゴ酸、コハク酸、グリコール酸、グルタル酸、安息香酸、マロン酸、サリチル酸、グルコン酸、高分子酸、その塩、及びそれらの混合物である。本発明で使用する鉱酸の例の非限定リストは、塩酸、リン酸、硫酸、及びそれらの混合物である。
【００９６】
高分子酸は、これ以外の酸よりも皮膚に対する刺激が少ないと言う観点から本組成物で使用するの特に好ましい酸である。本明細書で使用する“高分子酸”と言う用語は、カルボン酸基の繰り返し単位が鎖の中に幾つも結合している酸を指す。好適な高分子酸には、ホモポリマー、コポリマー及びターポリマーを挙げることが出来るが、少なくとも３０モル％のカルボン酸基を含まなければならない。本組成物に有用な好適なポリマー酸の具体例には、直鎖ポリ（アクリル）酸及びそのコポリマー、即ちイオン性も非イオン性もよく（例えば、マレイン−アクリル、スルホン−アクリル、及びスチレン−アクリルコポリマー）、約２５０，０００未満、好ましくは１００，０００未満の分子量を有する架橋ポリアクリル酸、ポリ（α−ヒドロキシ）酸、ポリ（メタクリル）酸、及びカラギーン酸、カルボキシメチルセルロース及びアルギン酸のような天然産高分子が挙げられる。直鎖ポリ（アクリル）酸が本組成物で使用するのに特に好ましい。
【００９７】
本発明の１つの実施態様では、プロトン供与剤を使って、水性クレンジング組成物のｐＨを約３．０から約６．０、更に好ましくは約３．０から約５．０、最も好ましくは約３．５から約４．５の範囲のｐＨに緩衝する。
【００９８】
ｄ．水溶性コンディショニング剤
本発明は、必要に応じて水溶性コンディショニング剤も含むことが出来る。そのような水溶性コンディショニング剤は、一般的に、水性クレンジング組成物の重量で約０．１％から約２％、好ましくは約０．２％から約１．５％、更に好ましくは約０．５％から約１％の範囲の濃度で、本発明で使用される水性クレンジング組成物に入れることが出来る。
【００９９】
水溶性コンディショニング剤として有用なコンディショニング剤の非限定例には、多価アルコール、ポリプロピレングリコール、ポリエチレングリコール、尿素、ピロリドンカルボン酸、エトキシル化及び／又はプロポキシル化Ｃ３−Ｃ６ジオール及びトリオール、アルファヒドロキシＣ２−Ｃ６カルボン酸、エトキシル化及び／又はプロポキシル化糖、ポリアクリル酸コポリマー、最高約１２個の炭素原子を有する糖、最高約１２個の炭素原子を有する糖アルコール、及びそれらの混合物から成る群から選ばれるコンディショニング剤が挙げられる。有用な水溶性コンディショニング剤の具体例には、次の物質が挙げられる；尿素；グアニジン；グリコール酸及びグリコール酸塩（例えばアンモニウム及び第四級アルキルアンモニウム）；乳酸及び乳酸塩（例えばアンモニウム及び第四級アルキルアンモニウム）；スクロース、フルクトース、グルコース、エルトロース、エリトリトール、ソルビトール、マンニトール、グリセリン、ヘキサントリオール、プロピレングリコール、ブチレングリコール、ヘキシレングリコール等；ＰＥＧ−２、ＰＥＧ−３、ＰＥＧ−３０、ＰＥＧ−５５のようなポリエチレングリコール、ＰＰＧ−９、ＰＰＧ−１２、ＰＰＧ−１５、ＰＰＧ−１７、ＰＰＧ−２０、ＰＰＧ−２６、ＰＰＧ−３０、ＰＰＧ−３４のようなプロピレングリコール；アルコキシル化グルコース；ヒアルロン酸；及びそれらの混合物。いろいろな形のどれでもよいアロエ・ベラ（例えば、アロエ・ベラゲル）のような物質、キチン質、Ｓａｎｗｅｔ ＩＭ−１０００、ＩＭ−１５００及びＩＭ−２５００（ＶＡ．Ｐｏｒｔｓｍｏｕｔｈ、Ｃｅｌａｎｅｓｅ Ｓｕｐｅｒａｂｓｏｒｂｅｎｔ Ｍａｔｅｒｉａｌｓから購入出来る）のようなデンプングラフト型ポリアクリル酸ナトリウム；ラクトアミドモノエタノールアミン；アセトアミドモノエタノールアミン；及びそれらの混合物のような物質も有用である。引用してその全体が本明細書に組み入れられている、１９９０年１２月１１日付けで発行され、Ｏｒｒ等に付与された米国特許第４，９７６，９５３号に記載されているプロポキシル化グリセリンに記載されているプロポキシル化グリセリンも有用である。
【０１００】
ｅ．乾燥剤
皮膚上で払拭体物品を擦り本発明で使用する水性クレンジング組成物を皮膚に塗布した後、この水性クレンジング組成物の乾燥を速めるための乾燥剤をこの組成物に使用することが出来る。或る水性クレンジング組成物は、皮膚に塗布されると、特にこの組成物が乾燥するのに要する間、粘り気のある感じを与えることがある。速乾性組成物によって、より柔らかい、より滑らかな皮膚の感触が得られ、同時に粘り気が少なくなることを見出した。好適な乾燥剤には、イソパラフィン、アルコール及びそれの組み合わせ物が挙げられる。イソパラフィンとエタノールの混合物が特に好ましい。乾燥剤は、一般的に本発明で使用されるクレンジング組成物の中に重量で約１から約６０％、好ましくは約３から約４０％、更に好ましくは約５から約２０％の範囲の濃度で入れられる。
【０１０１】
ｆ．その他の任意成分
本発明の組成物は、広範囲のその他の任意成分を含むことが出来る。これらの追加成分は薬学的に許容出来なければならない。引用してその全体が本明細書に組み入れられている。ＣＴＦＡ Ｃｏｓｍｅｔｉｃ Ｉｎｇｒｅｄｉｅｎｔ Ｈａｎｄｂｏｏｋ、第２版、１９９２、は、皮膚ケアー業界で広く使用されていて、本発明の組成物で使用するのに好適であるいろいろな非限定的化粧品用、及び薬学的成分を記載している。機能的部類の成分の非限定例はこの引用文献の５３７頁に記載されている。これら及びその他の機能別部類の例には次が挙げられる：研磨剤、吸収剤、凝結防止剤、酸化防止剤、ビタミン、結合剤、生物学的添加剤、緩衝剤、増量剤、キレート化剤、化学的添加剤、着色剤、化粧品用収斂剤、化粧品用殺生物剤、変性剤、薬用収斂剤、外用鎮痛剤、皮膜形成剤、香料成分、湿潤剤、乳白剤、ｐＨ調整剤、防腐剤、噴射剤、還元剤、皮膚漂白剤、及び日焼け止め剤。
【０１０２】
香水、顔料、着色剤、精油、皮膚感覚剤、収斂剤、皮膚鎮痛剤、及び皮膚治療剤のような美容上成分も本組成物には有用である。
【０１０３】
ｇ．水性クレンジング組成物の粘度
本発明の払拭体製品に使用される水性クレンジング組成物は、マニュアルＮｏ．Ｍ／９２−１６１−Ｈ８９５号に説明されている操作取扱説明書に従って、Ｂｒｏｏｋｆｉｅｌｄデジタル粘度計、型式ＤＶ−ＩＩ＋Ｖｅｒｓｉｏｎ３．２で測定すると、約１から約１０００、好ましくは約５から約２００センチポイズの範囲の粘度を有する。
【０１０４】
本組成物で使用するのに好適な水性クレンジング組成物の例は、全ては引用してその全体が本明細書に組み入れられている次の米国特許及び特許出願書に記載されている：米国特許出願番号第０８／７２７，８０７号の３−６頁及び８頁；１９９７年６月４日に出願された米国特許出願番号第０８／８６８，６６８号；１９９０年７月１７日付けで発行され、Ｒｉｃｈａｒｄｓ等に付与された米国特許第４，９４１，９９５号；１９９０年２月２７日付けで発行され、Ｙｏｈに付与された米国特許第４，９０４，５２４号；Ｐｕｃｈａｌｓｋｉに付与された米国特許第５，０４３，１５５号；Ｆｏｗｌｅｒに付与された米国特許第５，５３４，２６５号；Ｂｌｉｅｓｚｎｅｒ等に付与された米国特許第５，６４８，０８３号；及び１９９６年１０月２４日に出願された米国特許出願番号第０８／７３６，４７１号。
【０１０５】
ＩＩ．水性液体クレンジング組成物で含浸された吸収性シートの調製
流し塗り、スプレー塗り又は計量式供給法を含めて、水性又は水性／アルコール性含浸液を適用するのに好適ないずれの方法を利用しても、本明細書に記載されたエマルション組成物で基材を含浸することが出来る。クレンジング溶液を吸収性シートへ含浸するのに一般的に使用されるＭｅｙｅｒ Ｒｏｄ、流しナイフ又はドクターブレードのような比較的特殊な技術も使用出来る。
【０１０６】
クレンジング水溶液は、吸収性シートの約１００％から約４００重量％、好ましくは約２００％から約４００重量％含まれるのが好ましい筈である。
【０１０７】
クレンジング水溶液を基材に含浸させる前又は後で、基材は折り曲げて積み重ねられる。次にその基材は、当業者には周知の湿気及び蒸気を通さない包装方法のいずれかで包装されるのが一般的である。
【０１０８】
実施例
次は本発明のパーソナルクレンジング用払拭体組成物の非限定例である。
【０１０９】
【表１】
0003575685.tif 000008
【０１１０】
米国特許第５，６７４，５９１号の実施例１及び２に記載されていて、坪量が平方メートル当たり６０グラムで模様はスターバースト（ｓｔａｒｂｕｒｓｔ）タイプの基材に、水性クレンジング組成物（実施例１−１０）は、各々、含浸される。カップを使って、前記基材の２３０重量％の水性クレンジング組成物は前記基材に注がれて基材に含浸される。こうして生成した払拭体物品の各々は、所望の柔らかさと感触とクレンジング特性を示す。
【０１１１】
米国特許第５，６７４，５９１号の実施例１及び２に記載されていて、坪量が平方メートル当たり６０グラムで模様はジグザグ形の基材に、水性クレンジング組成物（実施例１−１０）は、各々、含浸される。カップを使って、前記基材の２３０重量％の水性クレンジング組成物は前記基材に注がれて基材に含浸される。こうして生成した払拭体物品の各々は、所望の柔らかさと感触とクレンジング特性を示す。